(57)【要約】【課題】基板の一部を挿入接続する場合の電気接続の確認がしやすく、電気接続した基板の保持性に優れ、薄型化が容易なコネクタの提供を目的とする。【解決手段】基板に設けた電気接続部を挿入接続するコネクタであって、基板の電気接続部を挿入する、コネクタの挿入凹部の内部又は外部に、基板側に設けた被係止部に係止する弾性係止手段を有し、挿入凹部の内部に基板端子に弾性接続するコンタクトを備えたことを特徴とする。【選択図】  図１
2008186625.tif 000002
【特許請求の範囲】
【請求項１】
基板に設けた電気接続部を挿入接続するコネクタであって、
基板の電気接続部を挿入する、コネクタの挿入凹部の内部又は外部に、基板側に設けた被係止部に係止する弾性係止手段を有し、挿入凹部の内部に基板端子に弾性接続するコンタクトを備えたことを特徴とするコネクタ。
【請求項２】
挿入凹部の内部又は外部に設けた弾性係止手段は、電気接続する基板の側縁部に位置し、基板面方向に弾性変形する弾性アームと、弾性アームの先端部に設けたフック部とを有し、基板の側縁部に設けた被係止部にフック部が係止するものであることを特徴とする請求項１記載のコネクタ。
【請求項３】
挿入凹部の内部又は外部に設けた弾性係止手段は、電気接続する基板の平面部に位置し、基板面に対して直角方向に弾性変形する弾性アームと、弾性アームの先端部に設けたフック部とを有し、基板の平面部に設けた被係止部にフック部が係止するものであることを特徴とする請求項１記載のコネクタ。
【請求項４】
弾性係止手段を挿入凹部の内部に設けてあり、当該弾性係止手段は、基板端子に弾性接続するコンタクトに併設してあることを特徴とする請求項１記載のコネクタ。
【発明の詳細な説明】
【技術分野】
【０００１】
本発明は、電子回路基板の一部を挿入接続する基板挿入接続型コネクタ（ボードインコネクタ）に関する。
【背景技術】
【０００２】
従来、プリント回路基板等の電子回路基板の端部等の一部をコネクタに挿入して電気接続する方法としては、例えば図８（ａ）に示すように、コネクタ１１０に設けてある凹部１１２へ基板端部１０２を挿入して、図８（ｂ）に示すようにコンタクト１２０の押圧力で基板端部１０２を凹部内壁１０２ａへ押し付けて基板保持し、基板端子１０６とコンタクト１２０とを電気接続させる技術が公知である。
しかしながら、この技術は基板の挿入深さが完全であるか否かが分かり難く、挿入が不完全となって基板端子とコンタクトとに接続不具合が生じる恐れがあった。
また、基板をコンタクトの押圧力のみで保持しているため、基板保持力が不十分であり、基板位置がずれて接続不具合となる恐れもあった。
特開平８−１８０９４０号公報には基板をロック爪で係止する技術を開示するが、ハウジングの他に固定スライダを有し、構造が複雑でコネクタの薄型化が難しい問題があった。
【０００３】
【特許文献１】特開平８−１８０９４０号公報
【発明の開示】
【発明が解決しようとする課題】
【０００４】
本発明は上記技術的課題に鑑みて、基板の一部を挿入接続する場合の電気接続の確認がしやすく、電気接続した基板の保持性に優れ、薄型化が容易なコネクタの提供を目的とする。
【課題を解決するための手段】
【０００５】
本発明の技術的要旨は、基板に設けた電気接続部を挿入接続するコネクタであって、基板の電気接続部を挿入する、コネクタの挿入凹部の内部又は外部に、基板側に設けた被係止部に係止する弾性係止手段を有し、挿入凹部の内部に基板端子に弾性接続するコンタクトを備えたことを特徴とする。
【０００６】
請求項２記載の発明の技術的要旨は、挿入凹部の内部又は外部に設けた弾性係止手段は、電気接続する基板の側縁部に位置し、基板面方向に弾性変形する弾性アームと、弾性アームの先端部に設けたフック部とを有し、基板の側縁部に設けた被係止部にフック部が係止するものであることを特徴とする。
ここで、基板面方向に弾性変形するとは、基板面と平行に弾性変形することをいう。
基板の側縁部には凸部又は凹部等を設けて被係止部を形成してあり、この被系止部にフック部が係止することになる。
【０００７】
コネクタの挿入凹部の内部に弾性係止手段を設けた場合には、基板に設けた電気接続部の挿入方向側縁に被系止部を形成することになり、コネクタの挿入凹部の外部に弾性係止手段を設けた場合には、基板に、挿入凹部の側壁を呑み込む分岐溝を形成し、この分岐溝で切り分けた外側の基板に被係止アームを形成し、この被係止アームの溝部に凹部又は凸部等の被系止部を形成することになる。
また、コネクタの挿入凹部の外部に弾性係止手段を設けた場合には、コネクタの挿入凹部の側壁外側に設けた弾性アームが基板に設けた分岐溝内に入り込み、弾性アームの先端部に設けたフック部が基板の凹部又は凸部等からなる被系止部に係止することになる。
【０００８】
請求項３記載の発明の技術的要旨は、挿入凹部の内部又は外部に設けた弾性係止手段は、電気接続する基板の平面部に位置し、基板面に対して直角方向に弾性変形する弾性アームと、弾性アームの先端部に設けたフック部とを有し、基板の平面部に設けた被係止部にフック部が係止するものであることを特徴とする。
【０００９】
請求項３に記載の発明は、プリントした接続面上に凹部又は凸部を形成してコネクタの弾性アームが基板の電気接続部の挿入により一旦、基板面直角方向の外側に撓み挿入完了時にフック部が弾性復帰し基板を係止する。
【００１０】
請求項４記載の発明の技術的要旨は、弾性係止手段を挿入凹部の内部に設けてあり、当該弾性係止手段は、基板端子に弾性接続するコンタクトに併設してあることを特徴とする。
コンタクトは接続のための弾性を有しているので、このコンタクトに電気接続する機能とともに、基板を保持するフック部を設けたものである。
【発明の効果】
【００１１】
本発明に係るコネクタにおいては、コネクタ側に設けたフック部が基板側の被係止部にスナップ係止することによる挿入感覚の変化、ロック音を感知することで、使用者は基板がコネクタに適正な深さまで挿入出来たか否かを簡単に判別出来る。
これにより、基板に設けた電気接続部のコネクタへの挿入が不十分であることによる接続不具合を防止しつつ、基板を所定位置でロックして基板とコネクタとのずれ防止をするため接続保持性に優れる。
弾性アームを基板の側縁部に位置させ、基板面方向に弾性変形させた場合には、コネクタを容易に薄型化できる。
また、コンタクトに係止手段を併設した場合にはコンタクトの弾性復帰によるロック音で挿入完了を感知でき、さらに構造が簡単になる。
【発明を実施するための最良の形態】
【００１２】
本発明に係るコネクタの実施例について以下図面を用いて説明する。
図７（ａ）にコネクタ１０の基板の挿入口１２ａ側の外観を示し、図１（ａ）は、図７（ａ）のＡ−Ａ線断面図を９０度回転した平面図を示す。
図１（ｂ）はＢ−Ｂ線断面図を示す。
図１（ｃ）、（ｄ）は、図１（ａ）、（ｂ）に対応して基板１に設けた電気接続部２をコネクタに挿入した状態を示す。
基板１はコネクタ１０へ挿入する電気接続部２部分付近を描いてあり、電気接続部２の基板面１ｅには基板端子６が設けてある。
本実施例は、コネクタ１０の挿入凹部１２の内部に弾性係止手段を設けた例であり、基板１に設けた電気接続部２の挿入方向に対する幅方向の側縁部２ａには凹部２ｂを設けてある。
コネクタ１０のハウジング１１に、挿入口１２ａから基板の一部を挿入する挿入凹部１２を形成し、この挿入凹部１２は、上面部１４と、基板と電気接続するコンタクトを配設したコンタクト取付面１５と、上面部１４とコンタクト取付面１５の端部同士をそれぞれ連結した側壁１６ａ、１６ｂで形成してある。
上面部１４は端子を設けていない基板面１ｆをガイドするガイド面１４ａと、コンタクト取付面１５は端子を設けた基板面１ｅをガイドするガイド面１５ａとを挿入凹部１２に設けてある。
側壁１６ａ、１６ｂのそれぞれ内側に、弾性アーム１８にフック部１９を有するロックアーム１７を設けてある。
ロックアーム１７の弾性アーム１８は、基板挿入方向と略平行に形成し、外側に撓みしろ１７ｂを設けて基板面方向である基板幅方向に撓ませることが出来るようにしてある。
フック部１９は弾性アーム１８から内側に向けて突出している。
図６に、基板の電気接続部２をコネクタの挿入凹部１２へ挿入した時のロックアーム１７の動作説明図を示す。
図６（ａ）、図６（ｂ）、図６（ｃ）は、ロックアーム１７付近の図１（ａ）に対応する部分を左側に、図１（ｂ）に対応する部分を右側に、それぞれ挿入凹部１２への電気接続部２の挿入進行状況に応じて順に描いてある。
基板の電気接続部２を挿入凹部１２へ挿入すると、図６（ａ）に示すようにフック部１９が基板の側縁部２ａに当接し、フック部１９の傾斜面２２ａが摺接して弾性アーム１８が撓みしろ１７ｂに向けて基板幅方向に撓む。
コンタクト取付面１５に配設してあるコンタクト２０は、弾性片２１が電気接続部２の先端に摺接して、更に挿入が進むと弾性片２１が撓んで接点部２３が基板１の端子６側の基板面１ｅに摺接する。
そして、図６（ｂ）に示すようにフック部１９が凹部２ｂの位置にくると弾性アーム１８が復帰動作し、図６（ｃ）に示すように挿入凹部１２の奥に形成した突当部１２ｂに基板の先端が突き当たる。
この時、弾性アーム１８の内側のガイド面１８ａは基板の側縁部２ａに当接し基板の幅方向のズレを防止する。
このフック部１９が基板の側縁部の凹部２ｂにスナップ係止した挿入深さで、基板端子６はコンタクト２０の接点部２３と電気接続する。
このようにロックアーム１７は、動作スペースと係止のためのスペースを基板１の厚み方向に設けずに、基板幅方向に弾性変形する弾性アーム１８の基板幅方向に突出させてあるフック部１９で基板を係止する。
なお、基板１を強く挿入凹部１２から引くと弾性アーム１８が撓み、フック部の係止が外れる。
このように、基板をコネクタに挿入する際に弾性アーム１８を一旦、撓ませることで抵抗が生じ、フック部１９が凹部２ｂにくると弾性復帰によりロック音が生じるため、完全に挿入したことが簡単に分かるようになっている。
また、図１の実施例では、基板１の側縁部２ａの一部を切り欠き、凹部２ｂを形成して被系止部７を設けたが、これとは逆に側縁部２ａに凸部を形成して被系止部としても良い。
【００１３】
図２にコネクタの挿入凹部の外部に弾性係止手段を設けた実施例の説明図を示す。
コネクタ１０ａに接続する基板１ａの接続側の端部は、基板端子６を設けてある電気接続部２と、その両側に挿入方向先端側から分岐溝４で切り分けてある被係止アーム５が設けてあり、被係止アーム５の基板幅方向の内側縁部には被係止部７ａが分岐溝４に向けて突設してある。
コネクタ１０ａの基板の挿入口１２ａ側の外観を図７（ｂ）に示す。
図２（ａ）、図２（ｂ）は接続前状態を示し、図２（ｃ）、図２（ｄ）は接続状態を示し、図２（ｃ）、図２（ｄ）は、それぞれ図２（ａ）、図２（ｂ）に対応するＣ視外観を描いてある。
コネクタ１０ａは、上面部１４とコンタクト取付面１５とを上下にそれぞれ配設して、それらの左右端部をそれぞれ側壁１６ｃ、１６ｄで連結した内側に挿入凹部１２を設けてある。
コネクタ１０ａの側壁１６ｃ、１６ｄの外側には、電気接続部２をコネクタに挿入した時に、両側の被係止アーム５がその間にコネクタ１０ａを挟むようになっている。
側壁１６ｃ、１６ｄの外側には、弾性アーム１８にフック部１９を設けたロックアーム１７を設けてある。
ロックアーム１７は、弾性アーム１８を被係止アーム５の差し込み方向と略平行に形成し、内側に弾性アーム１８の撓みしろ１７ｂを設けて基板幅方向に撓ませることが出来るようにしてある。
フック部１９は弾性アーム１８から外側に突出して形成してある。
図２（ｃ）、図２（ｄ）に示すように、コネクタの挿入凹部１２へ基板の電気接続部２を挿入すると、弾性アーム１８が基板幅方向に撓んで所定位置でフック部１９が被係止部７ａにスナップ係止して基板がコネクタにロック保持され、コンタクト２０の接点部２３と基板端子６との位置が一致し互いに電気接続する。
この場合には、コネクタ側壁の内側のガイド面１６ｅで基板の左右方向の位置ずれを防止する。
【００１４】
図３に他のコネクタの実施例を示す。
図３（ａ）、図３（ｂ）は接続前状態を示し、図３（ｃ）、図３（ｄ）は接続状態を示し、図３（ａ）、図３（ｃ）はコネクタ１０ｂの挿入凹部１２の水平方向断面図を示し、図３（ｂ）、図３（ｄ）はＤ−Ｄ線位置に対応する断面図をそれぞれ描いてある。
コネクタ１０ｂに接続する基板１ｂは、基板端子６を設けた電気接続部２の基板面１ｅ上に被係止部７ｂが突設してある。
コネクタ１０ｂの挿入凹部１２内には、挿入した電気接続部２の被係止部７ｂにフック部１９をスナップ係止させるロックアーム１７ａがハウジング１１の挿入凹部１２内壁を延在させて設けてある。
このロックアーム１７ａは、基板端子６とコンタクト２０の接点部２３とが電気接続する所定の挿入深さでフック部１９が被係止部７ｂを乗り越えスナップ係止するように形成してある。
【００１５】
図４に他のコネクタの実施例を示す。
図４（ａ）、図４（ｂ）は接続前状態を示し、図４（ｃ）、図４（ｄ）は接続状態を示し、図４（ａ）、図４（ｃ）はコネクタ１０ｃの挿入凹部水平方向の断面図を示し、図４（ｂ）、図４（ｄ）はＥ−Ｅ線位置に対応するそれぞれ断面図を描いてある。
コネクタ１０ｃに接続する基板１ｃの複数ある基板端子のうちの２つ以上の基板端子６ａは、パターンを印刷した接続面６ｂ上に導電製の被係止部７ｃが突設してある。
コンタクト２０ａは弾性片２１を曲げてフック部２２を形成し、挿入凹部１２に挿入する電気接続部２の被係止部７ｃの移動経路にフック部２２が干渉するようにハウジング１１に配設してある。
基板１ｃの電気接続部２を挿入凹部１２に所定深さ挿入すると、コンタクト２０ａは弾性片２１を撓ませてフック部２２が被係止部７ｃを乗り越えスナップ係止しつつ、この位置で基板端子６ａと、フック部２２でもある接点部２３と接触させて電気接続する。
【００１６】
図５に他のコネクタの実施例を示す。
図５（ａ）、図５（ｂ）は接続前状態を示し、図５（ｃ）、図５（ｄ）は接続状態を示し、図５（ａ）、図５（ｃ）はコネクタ１０ｄの挿入凹部１２の水平方向断面図を示し、図５（ｂ）、図５（ｄ）はＦ−Ｆ線位置に対応する断面図をそれぞれ描いてある。
コネクタ１０ｄに接続する基板１ｄの複数ある基板端子のうちの、２つ以上の基板端子６ａには印刷した接続面６ｂを基板厚み方向に陥没させた被係止部７ｄが、印刷した接続面６ｂと導通して設けてある。
コンタクト２０ａは弾性片２１を凸状に曲げてフック部２２を形成し、挿入凹部１２に挿入する電気接続部２の移動経路にフック部２２が干渉するようにハウジング１１に配設してある。
基板１ｄの電気接続部２を挿入凹部１２に所定深さ挿入すると、コンタクト２０ａは弾性片２１を撓ませてフック部２２が被係止部７ｄを乗り越えスナップ係止しつつ、基板端子６ａと、フック部２２の接点部２３と電気接続する。
【図面の簡単な説明】
【００１７】
【図１】本発明に係るコネクタの接続構造の説明図を示し、コネクタの挿入凹部の内部に弾性係止手段を設けた例を示す。
【図２】コネクタの挿入凹部の外部に弾性係止手段を設けた例を示す。
【図３】他のコネクタの接続構造の説明図を示す。
【図４】他のコネクタの接続構造の説明図を示す。
【図５】他のコネクタの接続構造の説明図を示す。
【図６】ロックアーム動作の説明図を示す。
【図７】コネクタの挿入口側の外観図を示す。
【図８】従来のコネクタの接続構造を示す。
【符号の説明】
【００１８】
１、１ａ、１ｂ、１ｃ、１ｄ  基板
１ｅ    端子を設けた基板面
１ｆ    端子を設けていない基板面
２      基板に設けた電気接続部
２ａ    電気接続部の幅方向縁部
２ｂ    凹部
４      分岐溝
５      被係止アーム
６、６ａ  基板端子
６ｂ    基板端子の接続面
１０、１０ａ、１０ｂ、１０ｃ、１０ｄ  コネクタ
１１    ハウジング
１２    挿入凹部
１２ａ  挿入口
１２ｂ  突当部
１４    上面部
１４ａ  ガイド面
１５    コンタクト取付面
１５ａ  ガイド面
１６ａ、１６ｂ、１６ｃ、１６ｄ  側壁
１６ｅ  ガイド面
１７、１７ａ  ロックアーム
１７ｂ  撓みしろ
１８    弾性アーム
１８ａ  ガイド面
１９    フック部
２０、２０ａ  コンタクト
２１    弾性片
２２    フック部
２２ａ  ２２ｂ  傾斜面
２３    接点部
【図１】
2008186625.tif 000003
【図２】
2008186625.tif 000004
【図３】
2008186625.tif 000005
【図４】
2008186625.tif 000006
【図５】
2008186625.tif 000007
【図６】
2008186625.tif 000008
【図７】
2008186625.tif 000009
【図８】
2008186625.tif 000010